(57)【要約】【課題】任意の通信網を介して利用でき、且つ、携帯電話サービス業者が指定する対応端末以外の端末も使用可能とする。【解決手段】プロバイダサーバ群が、呼制御サーバを介して、端末のうちの発信元となる端末である第１の端末から、端末のうちの発信先となる端末である第２の端末宛の通信確立要求を受けた場合に、第２の端末に割り当てられている電話番号をデータベースサーバから読み込み、読み込んだ電話番号を呼制御サーバに送信する端末管理サーバと、通信確立要求を受け付け、受け付けた通信確立要求を端末管理サーバに転送し、転送に応じて端末管理サーバから返信されてきた第２の端末に割り当てられている電話番号を用いて第１の端末と第２の端末間の通信を確立する呼制御サーバと、を備え、第１及び第２の端末が同一又は異なる通信方式に準拠した通信網を介してプロバイダサーバ群と通信を行う。【選択図】図１
2012199882.tif 000002
【特許請求の範囲】
【請求項１】
ネットワーク上に設けられたプロバイダサーバ群と、前記プロバイダサーバ群と通信可能な端末と、を有する通信システムにおける前記プロバイダサーバ群であって、
前記端末からの登録要請に基づいて当該端末に固有の電話番号を割当て、当該端末と当該電話番号を紐付けて登録するデータベースサーバと、
呼制御サーバを介して、前記端末のうちの発信元となる端末である第１の端末から、前記端末のうちの発信先となる端末である第２の端末宛の通信確立要求を受けた場合に、前記第２の端末に割り当てられている前記電話番号を前記データベースサーバから読み込み、当該読み込んだ電話番号を前記呼制御サーバに送信する端末管理サーバと、
前記通信確立要求を受け付け、受け付けた通信確立要求を前記端末管理サーバに転送し、当該転送に応じて前記端末管理サーバから返信されてきた前記第２の端末に割り当てられている前記電話番号を用いて前記第１の端末と前記第２の端末間の通信を確立する前記呼制御サーバと、
を備え、
前記第１及び第２の端末が同一又は異なる通信方式に準拠した通信網を介して当該プロバイダサーバ群と通信を行うことを特徴とするプロバイダサーバ群。
【請求項２】
請求項１に記載のプロバイダサーバ群において、
前記呼制御サーバはＳＩＰ（Session Initiation Protocol）に準拠したサーバであり、前記第１の端末からの前記通信確立要求はＳＩＰに準拠したＩＮＶＩＴＥであり、前記呼制御サーバは当該ＩＮＶＩＴＥに加えて前記第２の端末の電話番号を返信する旨の要求を付加して前記端末管理サーバに転送することを特徴とするプロバイダサーバ群。
【請求項３】
請求項１又は２に記載のプロバイダサーバ群において、
前記端末管理サーバは、
或るグループ内に含まれる複数の端末に対して、電話番号の先頭から所定の桁までは共通の番号を割当て、当該電話番号の最後尾から所定の桁においては端末毎にそれぞれ異なる番号を割り当てることにより、前記或るグループの内線電話網を実現することを特徴とするプロバイダサーバ群。
【請求項４】
請求項１又は２に記載のプロバイダサーバ群において、
前記データベースサーバでは、
或る利用者に対して１つの電話番号が割り当てられており、当該１つの電話番号に対して複数の端末を識別する識別番号が登録されていることを特徴とするプロバイダサーバ群。
【請求項５】
請求項４に記載のプロバイダサーバ群において、
前記識別番号は、前記或る利用者に対して割り当てられている前記１つの電話番号の最後尾に、更に任意の文字又は数字を付加したものであることを特徴とするプロバイダサーバ群。
【請求項６】
ネットワーク上に設けられたプロバイダサーバ群と、前記プロバイダサーバ群と通信可能な端末と、を有する通信システムであって、
前記端末は前記プロバイダサーバ群を介して他の端末と通信を行い、
前記プロバイダサーバ群は請求項１乃至５の何れか１項に記載のプロバイダサーバ群であることを特徴とする通信システム。
【請求項７】
ネットワーク上に設けられたプロバイダサーバ群と、前記プロバイダサーバ群と通信可能な端末と、を有するシステムの前記プロバイダサーバ群が行う通信方法において、
データベースサーバが、前記端末からの登録要請に基づいて当該端末に固有の電話番号を割当て、当該端末と当該電話番号を紐付けて登録するステップと、
端末管理サーバが、呼制御サーバを介して、前記端末のうちの発信元となる端末である第１の端末から、前記端末のうちの発信先となる端末である第２の端末宛の通信確立要求を受けた場合に、前記第２の端末に割り当てられている前記電話番号を前記データベースサーバから読み込み、当該読み込んだ電話番号を前記呼制御サーバに送信するステップと、
前記呼制御サーバが、前記通信確立要求を受け付け、受け付けた通信確立要求を前記端末管理サーバに転送し、当該転送に応じて前記端末管理サーバから返信されてきた前記第２の端末に割り当てられている前記電話番号を用いて前記第１の端末と前記第２の端末間の通信を確立するステップと、
を備え、
前記第１及び第２の端末が同一又は異なる通信方式に準拠した通信網を介して当該プロバイダサーバ群と通信を行うことを特徴とする通信方法。
【発明の詳細な説明】
【技術分野】
【０００１】
本発明は、任意の通信方式に対応可能な通信システムに関し、より詳細には、通信端末の番号統合に関する。
【背景技術】
【０００２】
携帯端末の普及に伴い種々のサービスが提案されている。例えば、ＦＭＣ（Fixed Mobile Convergence）サービスや、モバイルセントレックスサービス（mobile centrex service）といったサービスである。
【０００３】
具体的に、ＦＭＣサービスとは、携帯端末一台で、構内（例えば、会社、家庭等）では、固定電話のワイヤレス端末として、構外では携帯電話機として、一つの番号で携帯電話サービスと固定電話サービスが受けられるサービスである。
【０００４】
また、モバイルセントレックスサービスとは、企業内の内線及び外線電話システムをＩＰ（Internet Protocol）電話に切り替え、企業内には電話制御装置を置かず、通信事業者のサーバへ接続し、構外で使用する携帯電話機を使って、内線網の構築を行うサービスである。
【０００５】
これらのサービスに関する技術の一例が特許文献１に記載されている。特許文献１に記載の技術では、サーバシステム１００が、位置情報管理サーバ１０を具備しており、位置情報管理サーバ１０において、番号マッピングテーブル１４に、携帯電話端末に割当てられる自網契約番号と、ＦＭＣ番号とを対応付けて記憶させる。そして、この番号マッピングテーブル１４を利用して通信を実現する。
【先行技術文献】
【特許文献】
【０００６】
【特許文献１】特開２００７−２５１６２２号公報
【発明の概要】
【発明が解決しようとする課題】
【０００７】
上述した技術等を用いることにより携帯電話機を用いた種々の通信を実現することができる。
【０００８】
しかしながら、上述した技術には、下記のような課題があった。
【０００９】
ＦＭＣサービスおよび、モバイルセントレックスサービスにおいて第一の課題は、構外で携帯端末を携帯電話および内線電話として使用するためには、携帯電話やＰＨＳ電話サービスを利用する必要があり、モバイルＷｉＭＡＸ（Worldwide Interoperability for Microwave Access）通信網や公衆無線ＬＡＮ（Local Area Network）通信網のデータ通信網を介して携帯電話サービスまたは、内線電話サービスを利用することはできない、ということである。
【００１０】
さらに、ＦＭＣサービスおよびモバイルセントレックスサービスにおいて第二の課題は、利用者がサービスを利用するために使用する端末は、携帯電話サービス業者が指定する、対応端末を使用する必要があり、固定端末やＰＣにインストールされるソフトクライアント（仮想端末）の利用および、複数の端末（携帯端末＋固定端末）を組合せて同一番号で電話サービス利用することは困難である、ということである。
【００１１】
そこで、本発明は、任意の通信網を介して利用でき、且つ、携帯電話サービス業者が指定する対応端末以外の端末も使用可能な、任意の通信方式に対応可能な通信システム及びプロバイダサーバ群並びにその方法を提供することを目的とする。
【課題を解決するための手段】
【００１２】
本発明の第１の観点によれば、ネットワーク上に設けられたプロバイダサーバ群と、前記プロバイダサーバ群と通信可能な端末と、を有する通信システムにおける前記プロバイダサーバ群であって、前記端末からの登録要請に基づいて当該端末に固有の電話番号を割当て、当該端末と当該電話番号を紐付けて登録するデータベースサーバと、呼制御サーバを介して、前記端末のうちの発信元となる端末である第１の端末から、前記端末のうちの発信先となる端末である第２の端末宛の通信確立要求を受けた場合に、前記第２の端末に割り当てられている前記電話番号を前記データベースサーバから読み込み、当該読み込んだ電話番号を前記呼制御サーバに送信する端末管理サーバと、前記通信確立要求を受け付け、受け付けた通信確立要求を前記端末管理サーバに転送し、当該転送に応じて前記端末管理サーバから返信されてきた前記第２の端末に割り当てられている前記電話番号を用いて前記第１の端末と前記第２の端末間の通信を確立する前記呼制御サーバと、を備え、
前記第１及び第２の端末が同一又は異なる通信方式に準拠した通信網を介して当該プロバイダサーバ群と通信を行うことを特徴とするプロバイダサーバ群が提供される。
【００１３】
本発明の第２の観点によれば、ネットワーク上に設けられたプロバイダサーバ群と、前記プロバイダサーバ群と通信可能な端末と、を有する通信システムであって、前記端末は前記プロバイダサーバ群を介して他の端末と通信を行い、前記プロバイダサーバ群は上記本発明の第１の観点により提供されるプロバイダサーバ群であることを特徴とする通信システムが提供される。
【００１４】
本発明の第３の観点によれば、ネットワーク上に設けられたプロバイダサーバ群と、前記プロバイダサーバ群と通信可能な端末と、を有するシステムの前記プロバイダサーバ群が行う通信方法において、データベースサーバが、前記端末からの登録要請に基づいて当該端末に固有の電話番号を割当て、当該端末と当該電話番号を紐付けて登録するステップと、端末管理サーバが、呼制御サーバを介して、前記端末のうちの発信元となる端末である第１の端末から、前記端末のうちの発信先となる端末である第２の端末宛の通信確立要求を受けた場合に、前記第２の端末に割り当てられている前記電話番号を前記データベースサーバから読み込み、当該読み込んだ電話番号を前記呼制御サーバに送信するステップと、前記呼制御サーバが、前記通信確立要求を受け付け、受け付けた通信確立要求を前記端末管理サーバに転送し、当該転送に応じて前記端末管理サーバから返信されてきた前記第２の端末に割り当てられている前記電話番号を用いて前記第１の端末と前記第２の端末間の通信を確立するステップと、を備え、前記第１及び第２の端末が同一又は異なる通信方式に準拠した通信網を介して当該プロバイダサーバ群と通信を行うことを特徴とする通信方法が提供される。
【発明の効果】
【００１５】
本発明によれば、任意の通信網を介して通信可能なプロバイダサーバ群が、登録した情報に基づいて端末間の呼制御を行うことから、任意の通信網を介して利用でき、且つ、携帯電話サービス業者が指定する対応端末以外の端末も使用可能となる。
【図面の簡単な説明】
【００１６】
【図１】本発明の実施形態の基本的構成を表す図である。
【図２】本発明の第１の実施形態のＩＰ電話プロバイダのシステム構成図である。
【図３】本発明の第１の実施形態のＩＰプロバイダへの端末登録の流れ図である。
【図４】本発明の第１の実施形態のキャリア網を介した端末呼制御の流れ図である。
【図５】本発明の第１の実施形態の登録端末データベーステーブル図である。
【図６】本発明の第１の実施形態の内線番号呼制御流れ図である。
【図７】本発明の第２の実施形態の利用者別登録端末データベーステーブル図である。
【図８】本発明の第２の実施形態の内線呼制御の流れ図である。
【発明を実施するための形態】
【００１７】
まず、本発明の実施形態の概略を説明する。
【００１８】
本発明の実施形態は、キャリアネットワーク通信網、ＷｉＭＡＸ通信網、公衆無線ＬＡＮ通信網、インターネットに接続された構内無線ＬＡＮ網、有線ＬＡＮ網と、ＩＰネットワークを介してＳＩＰサーバに接続できる機能を備えた携帯端末、無線ＬＡＮ端末、有線端末、パソコンまたはＰＤＡにインストールされるソフト端末を用いて、ネットワークおよび端末を問わず、ワンユーザ、ワンナンバーで携帯電話、固定電話、内線電話サービスを運用するためのＩＰ電話サービスシステムに関するものである。
【００１９】
本発明の第１の実施形態は、モバイル通信環境に対し、モバイル網サービス業者（以下、適宜「キャリア業者」と呼ぶ）と電話サービス業者（以下、適宜「ＩＰ電話プロバイダ」と呼ぶ）、上記キャリア業者が提供するデータ通信網を介して上記ＩＰ電話プロバイダのＳＩＰサーバに接続できる端末を含み、上記端末が上記ネットワークを介して上記ＳＩＰサーバへの接続を行い、構外で携帯端末のＶｏＩＰデータ通信による音声通話、ビデオ通話の発着信、メッセージの送受信を行うことを特徴とする。
【００２０】
ここで、キャリア業者は、利用者がＩＰ電話プロバイダに接続しＩＰネットワークに接続できるよう、携帯電話データ通信網、ＷｉＭＡＸネットワーク網、公衆無線ＬＡＮネットワーク網等のインフラ環境の提供を行う。
【００２１】
そして、ＩＰ電話プロバイダは、ＩＰネットワークを介したＶｏＩＰによるＶｏＩＰ〜ＶｏＩＰ、ＶｏＩＰ〜携帯電話、ＶｏＩＰ〜ＰＳＴＮ（Public Switched Telephone Networks）網との接続サービスおよび、音声通話、ビデオ通話、メッセージ、Ｅ−ｍａｉｌの送受信、インターネットへの接続サービスを行うことを特徴とする。
【００２２】
本発明の第２の実施形態は、キャリアネットワーク網または、モバイルＷｉＭＡＸデータ通信網、ＰＨＳデータ通信網、公衆無線ＬＡＮデータ通信網を介してＳＩＰサーバに接続できる端末（携帯電話、スマートフォン、ＰＤＡ、仮想ＳＩＰクライアントソフトウェアー）と、インターネットに接続された公衆無線ＬＡＮ網および、構内無線ＬＡＮ網を介してＳＩＰサーバに接続できる端末と、インターネットに接続された構内有線ＬＡＮを介してＳＩＰサーバに接続できる端末（固定電話端末、仮想ＳＩＰクライアントソフトウェアーがインストールされたＰＣ）と複数の端末の登録と呼制御を行うためのデータベースを含むことを特徴とする。
【００２３】
ここで、ＳＩＰサーバは、音声、ビデオ通話発信、受信および、メッセージの送信、受信機能を制御可能とするために、一つの電話番号に複数の端末が登録できるデータベースを備え、上記端末の種類を問わず、一つの電話番号で複数の端末が利用できる機能を備えることを特徴とする。
【００２４】
次に、本発明の実施形態における、番号統合サービスについて図面を参照して詳細に説明する。
【００２５】
まず、本発明の実施形態である通信システム全体の構成について図１を参照して説明する。
【００２６】
本実施形態は、構内ネットワーク１１０、ＷｉＭＡＸデータ通信網１２０、公衆無線ＬＡＮ１３０、携帯電話網、インターネット２００、複数の端末３０１及び公衆電話網４００を含む。また、インターネット２００上にはＩＰ電話プロバイダＡ２１０−１、ＩＰ電話プロバイダＢ２１０−２及びＩＰ電話プロバイダＣ２１０−３を含む。更に、構内ネットワーク１１０、ＷｉＭＡＸデータ通信網１２０、公衆無線ＬＡＮ１３０及び携帯電話網は、それぞれ中継装置として、構内無線ＬＡＮアクセスポイント１１１、ＷｉＭＡＸ用中継器１２１、公衆無線ＬＡＮアクセスポイント１３１及びキャリア網通信用中継器１４１を有する。
【００２７】
構内ネットワーク１１０は端末利用者が使用する構内（例えば、会社、家庭等）に構築されたネットワークである。構内ネットワーク１１０は、有線接続により実現されてもよいが、その一部又は全部が無線ＬＡＮによる無線接続により実現されていてもよい。
【００２８】
ＷｉＭＡＸデータ通信網１２０、公衆無線ＬＡＮ１３０及び携帯電話網は、利用者の各端末３０１がデータ通信網を介して各ＩＰ電話プロバイダ２１０に接続するための通信網である。そして、構内ネットワーク１１０、ＷｉＭＡＸデータ通信網１２０、公衆無線ＬＡＮ１３０及び携帯電話網１４０は、インターネット２００に接続が可能である。
【００２９】
ＷｉＭＡＸデータ通信網１２０、公衆無線ＬＡＮ１３０及び携帯電話網に関しては、モバイル網サービス業者が、インフラ環境の提供、管理、整備を行う。
【００３０】
ＩＰ電話プロバイダＡ２１０−１、ＩＰ電話プロバイダＢ２１０−２及びＩＰ電話プロバイダＣ２１０−３は、インターネット２００上に電話サービス業者が構築したサーバ等により実現される。ＩＰ電話プロバイダＡ２１０−１、ＩＰ電話プロバイダＢ２１０−２及びＩＰ電話プロバイダＣ２１０−３は、構内ネットワーク１１０、ＷｉＭＡＸデータ通信網１２０、公衆無線ＬＡＮ１３０及び携帯電話網１４０を介してＶｏＩＰ（Voice over Internet Protocol）に準拠した音声通話、ビデオ通話、メッセージ、Ｅ−ｍａｉｌの送受信、インターネット２００への接続サービスの提供を行う。加えて、ＩＰ電話プロバイダＡ２１０−１、ＩＰ電話プロバイダＢ２１０−２及びＩＰ電話プロバイダＣ２１０−３は、各通信網を介し、各端末３０１の登録および呼制御を行う。
【００３１】
構内無線ＬＡＮアクセスポイント１１１、ＷｉＭＡＸ用中継器１２１、公衆無線ＬＡＮアクセスポイント１３１及びキャリア網通信用中継器１４１は、各端末３０１と各通信網を接続するための中継装置である。
【００３２】
各端末３０１は、各通信網を介し、ＩＰ電話プロバイダＡ２１０−１、ＩＰ電話プロバイダＢ２１０−２及びＩＰ電話プロバイダＣ２１０−３に接続してＶｏＩＰに準拠した音声通話、ビデオ通話、メッセージ、Ｅ−ｍａｉｌの送受信が利用可能な端末である。
【００３３】
各端末３０１は任意の装置により実現可能である。本実施形態としては、一例として以下の端末を図示している。
■構内ネットワーク１１０の無線ＬＡＮを介して各ＩＰ電話プロバイダ２１０に接続可能な携帯端末３０１−１及び３０１−２。
■構内ネットワーク１１０と有線接続され、構内ネットワーク１１０を介して各ＩＰ電話プロバイダ２１０に接続可能な端末３０１−３。なお、端末３０１−３はソフトウェアを組み込んだ汎用のＰＤＡやパーソナルコンピュータにより実現される仮想端末として実現可能である。
■構内ネットワーク１１０と有線接続され、構内ネットワーク１１０を介して各ＩＰ電話プロバイダ２１０に接続可能な端末３０１−４。なお、端末３０１−４は固定端末として実現可能である。
■ＷｉＭＡＸデータ通信網１２０を介して各ＩＰ電話プロバイダ２１０に接続可能な携帯端末３０１−５。
■公衆無線ＬＡＮ１３０を介して各ＩＰ電話プロバイダ２１０に接続可能な携帯端末３０１−６。
■携帯電話網１４０を介して各ＩＰ電話プロバイダに接続可能な携帯電話機である携帯端末３０１−７。
【００３４】
なお、図１に示されるプロバイダ数、端末数、ネットワークの種別等はあくまで例示である。プロバイダ数、端末数、ネットワークの種別等に制限はなく、任意の数又は種別を採用することが可能である。例えば、ＰＨＳデータ通信網及びＰＨＳデータ通信網を介して各ＩＰ電話プロバイダに接続可能な端末を新たに追加するようにしてもよい。
【００３５】
続いて本実施形態の動作について、図２から図６を参照して具体的に説明する。
【００３６】
図２は、本実施形態におけるＩＰ電話プロバイダシステムの構成を示す図である。
【００３７】
ＩＰ電話プロバイダＡ２１０−１及びＩＰ電話プロバイダＢ２１０−２はそれぞれ、ＳＩＰサーバ２１１、端末管理サーバ２１２及びデータベース（図中では「ＤＢ」と表記する）サーバ２１３を含んでいる。
【００３８】
ＳＩＰサーバ２１１−１及びＳＩＰサーバ２１１−２は、利用者へＶｏＩＰによる電話サービスを行うため、端末の呼制御を行うサーバである。なお、ＳＩＰサーバ２１１−１及びＳＩＰサーバ２１１−２は、本願発明における「呼制御サーバ」に相当する。
【００３９】
端末管理サーバ２１２−１及び端末管理サーバ２１２−２は、端末の位置情報、プレゼンス管理、端末管理を行うサーバである。
【００４０】
データベースサーバ２１３−１及びデータベースサーバ２１３−２は、各端末の登録情報、利用者別登録端末情報、認証情報を紐付けて保管するサーバである。
【００４１】
なお、本実施形態ではＳＩＰサーバ２１１、端末管理サーバ２１２及びデータベースサーバ２１３の３つのサーバを別個に図示しているが、単一のサーバがこれら３つのサーバの機能を実現するようにしてもよく、複数のサーバが協働することによりこれら３つのサーバの機能を実現するようにしてもよい。
【００４２】
続いて、図３を参照して各通信網を介したＩＰプロバイダ２１０への端末登録の動作を説明する。
【００４３】
まず、端末３０１が構内ネットワーク１１０、ＷｉＭＡＸデータ通信網１２０、公衆無線ＬＡＮ１３０及び携帯電話網１４０の何れかの通信網を介してＳＩＰサーバ２１１へ登録要請を行う（ステップＳ５０１）。
【００４４】
続いて、ＳＩＰサーバ２１１は登録要請に対して登録のために端末３０１へ認証情報要請を行い（ステップＳ５０２）、端末３０１はＳＩＰサーバ２１１へ認証情報を送信する（ステップＳ５０３）。ＳＩＰサーバ２１１は認証情報確認を行い（ステップＳ５０４）、認証が完了した後、端末管理サーバ２１２に端末登録要求を行う（ステップＳ５０５）。
【００４５】
端末管理サーバ２１２は、データベースサーバ２１３に端末３０１の登録情報を要求する（ステップＳ５０６）。
【００４６】
要求を受け付けたデータベースサーバ２１３は、端末３０１の登録情報を端末管理サーバ２１２に送信する（ステップＳ５０７）。
【００４７】
端末管理サーバ２１２は、端末３０１の登録情報を確認し（ステップＳ５０８）、端末情報の更新が必要な場合はデータベースサーバ２１３に対して端末情報の更新要求を行う（ステップＳ５０９）。
【００４８】
要求を受け付けたデータベースサーバ２１３は、端末情報を更新し（ステップＳ５１０）、更新完了後に、更新が完了した旨を端末管理サーバ２１２に送信する（ステップＳ５１１）。
【００４９】
続いて、端末管理サーバ２１２はＳＩＰサーバ２１１へ該当端末の端末登録完了通知を送信し（ステップＳ５１２）、ＳＩＰサーバ２１１は端末３０１へ登録完了通知を送信する（ステップＳ５１３）。
【００５０】
登録完了通知を受信した端末３０１は待機状態であった端末を、発信及び着信可能状態へと変更する（ステップＳ５１４）。これにより、端末３０１の登録動作は終了する。
【００５１】
続いて図４を参照して、構内ネットワーク１１０、ＷｉＭＡＸデータ通信網１２０、公衆無線ＬＡＮ１３０及び携帯電話網の何れかを介した端末呼制御について説明する。今回の説明においては発信元となる発信元端末３０１−ｎと発信先となる発信先端末３０１−ｍを図示する。
【００５２】
まず、発信元端末３０１−ｎからＳＩＰサーバ２１１に対して呼設定（ＩＮＶＩＴＥ）がなされる（ステップＳ６０１）。ＳＩＰサーバ２１１は呼設定（ＩＮＶＩＴＥ）情報と着呼端末選定の要求を端末管理サーバ２１２へ送信する（ステップＳ６０２）。また、ＳＩＰサーバ２１１は、並行して発信元端末３０１−ｎへ「ＩＮＶＩＴＥを実行中である」ことを通知する暫定応答である１００Ｔｒｙｉｎｇを送信する（ステップＳ６０３）。
【００５３】
端末管理サーバ２１２は端末データベースに端末情報（例えば、その端末に関しての登録情報）を要求する（ステップＳ６０４）。
【００５４】
端末管理データベース２１３は端末管理サーバ２１２へ該当端末情報応答を送信する（ステップＳ６０５）。
【００５５】
端末管理サーバ２１２は端末情報を受信して着呼端末を選定する（ステップＳ６０６）。
【００５６】
端末管理サーバ２１２は、ＳＩＰサーバ２１１へ着呼端末情報を送信する（ステップＳ６０７）。
【００５７】
ＳＩＰサーバ２１１は受信した着呼端末情報の端末へ呼設定を送信する（ステップＳ６０８）。今回の説明においては発信先端末３０１−ｍへ呼設定を送信することとなる。
【００５８】
発信先端末３０１−ｍはＳＩＰサーバ２１１の呼設定に対し、呼び出し中であることを伝えるための暫定応答である１８０Ｒｉｎｇｉｎｇを送信する（ステップＳ６０９）。
【００５９】
ＳＩＰサーバ２１１は発信元端末３０１−ｎへ１８０Ｒｉｎｇｉｎｇを送信する（ステップＳ６１０）。
【００６０】
その後、発信先端末３０１−ｍの呼び出しに成功すれば、発信先端末３０１−ｍは呼び出し成功情報である２００ＯＫをＳＩＰサーバ２１１に送信する（ステップＳ６１１）。
【００６１】
更に、ＳＩＰサーバ２１１は呼び出し成功情報である２００ＯＫを発信元端末３０１−ｎへ送信する（ステップＳ６１２）。
【００６２】
それに対し発信元端末３０１−ｎは確認応答情報としてＡＣＫをＳＩＰサーバ２１１へ送信し（ステップＳ６１３）、ＳＩＰサーバ２１１は呼び出し成功情報としてＡＣＫ発信元端末３０１−ｎへ送信し（ステップＳ６１４）、発信元端末３０１−ｎと発信先端末３０１−ｍの通話が成立する（ステップＳ６１５）。
【００６３】
以上の動作により構内ネットワーク１１０、ＷｉＭＡＸデータ通信網１２０、公衆無線ＬＡＮ１３０及び携帯電話網の何れかを介しての通話が可能となるという効果を奏する。
【００６４】
続いて、一つの番号での携帯電話および内線電話の使用する場合の動作について説明する。
【００６５】
図５は、一つの番号での携帯電話および内線電話の使用をするためのテーブルである登録端末データベーステーブル７００を表す図である。
【００６６】
登録端末データベーステーブル７００は、テーブルの最上位グループ毎に管理され、最上位グループ：会社７０１、７０２、上位グループ：部門７０３〜７０５、中位グループ：グループ７０６〜７１１の順に構成され利用者と、電話番号が記録されている。
【００６７】
本実施形態における、内線電話への呼制御は、最上位グループ毎に設定される電話番号桁数によって区別されることであり、例えば、最上位グループ７０１の内線電話番号桁数が４桁の場合、個人の電話番号の下４桁０００１〜００３４が個人の内線番号になり、その呼制御機能はＳＩＰサーバ２０２が有する。
【００６８】
続いて、図６を参照して、内線番号呼制御時の動作について説明する。
【００６９】
まず、発信元端末３０１−ｎからＳＩＰサーバ２１１に対して呼設定（ＩＮＶＩＴＥ）がなされる（ステップＳ８０１）。ＳＩＰサーバ２１１は呼設定（ＩＮＶＩＴＥ）情報と着呼端末選定の要求を端末管理サーバ２１２へ送信する（ステップＳ８０２）。また、ＳＩＰサーバ２１１は、並行して発信元端末３０１−ｎへ「ＩＮＶＩＴＥを実行中である」ことを通知する暫定応答である１００Ｔｒｙｉｎｇを送信する（ステップＳ８０３）。
【００７０】
端末管理サーバ２１２は端末データベースに端末情報（例えば、その端末に関しての登録情報）を要求する（ステップＳ８０４）。
【００７１】
端末管理データベース２１３は端末管理サーバ２１２へ該当端末情報応答を送信する（ステップＳ８０５）。
【００７２】
端末管理サーバ２１２は端末情報を受信して内線番号→電話番号への呼設定番号変更を行う（ステップＳ８０６）。
【００７３】
端末管理サーバ２１２は、ＳＩＰサーバ２１１へ着呼端末情報を送信する（ステップＳ８０７）。
【００７４】
ＳＩＰサーバ２１１は受信した着呼端末情報の端末へ呼設定を送信する（ステップＳ８０８）。今回の説明においては発信先端末３０１−ｍへ呼設定を送信することとなる。
【００７５】
発信先端末３０１−ｍはＳＩＰサーバ２１１の呼設定に対し、呼び出し中であることを伝えるための暫定応答である１８０Ｒｉｎｇｉｎｇを送信する（ステップＳ８０９）。
【００７６】
ＳＩＰサーバ２１１は発信元端末３０１−ｎへ１８０Ｒｉｎｇｉｎｇを送信する（ステップＳ８１０）。
【００７７】
その後、発信先端末３０１−ｍの呼び出しに成功すれば、発信先端末３０１−ｍは呼び出し成功情報である２００ＯＫをＳＩＰサーバ２１１に送信する（ステップＳ８１１）。
【００７８】
更に、ＳＩＰサーバ２１１は呼び出し成功情報である２００ＯＫを発信元端末３０１−ｎへ送信する（ステップＳ８１２）。
【００７９】
それに対し発信元端末３０１−ｎは確認応答情報としてＡＣＫをＳＩＰサーバ２１１へ送信し（ステップＳ８１３）、ＳＩＰサーバ２１１は呼び出し成功情報としてＡＣＫ発信元端末３０１−ｎへ送信し（ステップＳ８１４）、発信元端末３０１−ｎと発信先端末３０１−ｍの通話が成立する（ステップＳ８１５）。
【００８０】
以上の動作により一つの番号での携帯電話および内線電話の使用が可能となるという効果を奏する。
【００８１】
次に、上述した実施形態の変形例である第２の実施形態につき、図７と図８を参照して具体的に説明する。
【００８２】
図７は、一つの番号で一つ以上の端末を同時に使用するためのテーブルである利用者別登録端末データベーステーブル９００を表す図である。
【００８３】
利用者別登録端末データベース９００は、利用者の識別情報である：名前９０１、ＩＰ電話番号９０２、使用端末９０３、端末別識別番号９０４を含む。
【００８４】
一つの番号で複数の端末を使用する場合は、端末電話番号と異なる、端末識別番号を端末に付与し、端末の呼制御を行う。
【００８５】
上記、端末識別番号は、１台目は電話番号を付与し、１台以上の端末を使用する場合、電話番号の最後に特殊文字、例えば、″＄″、″＃″、″％″、″＆″を使用し、特殊文字の後に数字付与することで端末の識別および、複数の端末の登録および呼制御を行う。
【００８６】
今回の例では、利用者ＣＣＣの場合、電話番号が０５０−０００１−０００３であるが、同時に３台の端末を使用している。具体的には、１台目のキャリア業者用の端末には識別番号として０５０−０００１−０００３を、２台目の固定端末には０５０−０００１−０００３＄１を、３台目の仮想端末には０５０−０００１−０００３＄２の番号を付与して、端末の登録および呼制御を行う。
【００８７】
続いて、図８を参照して、一つの番号で複数の端末を同時に使用するための内線呼制御時の動作について説明する。
【００８８】
まず、発信元端末３０１−ｎからＳＩＰサーバ２１１に対して呼設定（ＩＮＶＩＴＥ）がなされる（ステップＳ１００１）。ＳＩＰサーバ２１１は呼設定（ＩＮＶＩＴＥ）情報と着呼端末選定の要求を端末管理サーバ２１２へ送信する（ステップＳ１００２）。また、ＳＩＰサーバ２１１は、並行して発信元端末３０１−ｎへ「ＩＮＶＩＴＥを実行中である」ことを通知する暫定応答である１００Ｔｒｙｉｎｇを送信する（ステップＳ１００３）。
【００８９】
端末管理サーバ２１２は端末データベースに端末情報（例えば、その端末に関しての登録情報）を要求する（ステップＳ１００４）。
【００９０】
端末管理データベース２１３は端末管理サーバ２１２へ該当端末情報応答を送信する（ステップＳ１００５）。
【００９１】
端末管理サーバ２１２は端末情報を受信して電話番号→識別番号への呼設定番号変更を行う（ステップＳ１００６）。
【００９２】
端末管理サーバ２１２は、ＳＩＰサーバ２１１へ着呼端末情報を送信する（ステップＳ１００７）。
【００９３】
ＳＩＰサーバ２１１は受信した着呼端末情報の端末へ呼設定を送信する（ステップＳ１００８）。今回の説明においては発信先端末３０１−ｍへ呼設定を送信することとなる。
【００９４】
発信先端末３０１−ｍはＳＩＰサーバ２１１の呼設定に対し、呼び出し中であることを伝えるための暫定応答である１８０Ｒｉｎｇｉｎｇを送信する（ステップＳ１００９）。
【００９５】
ＳＩＰサーバ２１１は発信元端末３０１−ｎへ１８０Ｒｉｎｇｉｎｇを送信する（ステップＳ１０１０）。
【００９６】
その後、発信先端末３０１−ｍの呼び出しに成功すれば、発信先端末３０１−ｍは呼び出し成功情報である２００ＯＫをＳＩＰサーバ２１１に送信する（ステップＳ１０１１）。
【００９７】
更に、ＳＩＰサーバ２１１は呼び出し成功情報である２００ＯＫを発信元端末３０１−ｎへ送信する（ステップＳ１０１２）。
【００９８】
それに対し発信元端末３０１−ｎは確認応答情報としてＡＣＫをＳＩＰサーバ２１１へ送信し（ステップＳ１０１３）、ＳＩＰサーバ２１１は呼び出し成功情報としてＡＣＫ発信元端末３０１−ｎへ送信し（ステップＳ１０１４）、発信元端末３０１−ｎと発信先端末３０１−ｍの通話が成立する（ステップＳ１０１５）。
【００９９】
以上の動作により一つの番号で一つ以上の端末を同時に使用することが可能となるという効果を奏する。
【０１００】
上述した各実施形態では、各サーバに本実施形態を実現するためのプログラムが予め記憶されているものとして説明した。しかし、各サーバを動作させ、あるいは、上述の処理を実行させるためのプログラムを、フレキシブルディスク、ＣＤ−ＲＯＭ（Compact Disc Read-Only Memory）、ＤＶＤ（Digital Versatile Disc)、ＭＯ（Magneto Optical Disk(Disc)）ＢＤ（Blu-ray Disc）等のコンピュータ読み取り可能な記録媒体に格納して配布し、これを別のコンピュータにインストールし、上述の手段として動作させ、あるいは、上述の工程を実行させてもよい。
【０１０１】
さらに、インターネット上のサーバ装置が有するディスク装置等にプログラムを格納しておき、例えば、搬送波にプログラムを重畳させて、コンピュータにダウンロード等してプログラムを実行してもよい。
【０１０２】
なお、本発明の実施形態である通信システムは、ハードウェアにより実現することもできるが、コンピュータをその通信システムとして機能させるためのプログラムをコンピュータがコンピュータ読み取り可能な記録媒体から読み込んで実行することによっても実現することができる。
【０１０３】
また、本発明の実施形態による通信方法は、ハードウェアにより実現することもできるが、コンピュータにその方法を実行させるためのプログラムをコンピュータがコンピュータ読み取り可能な記録媒体から読み込んで実行することによっても実現することができる。
【０１０４】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【０１０５】
上記の実施形態の一部又は全部は、以下の付記のようにも記載されうるが、以下には限られない。
【０１０６】
（付記１）  ネットワーク上に設けられたプロバイダサーバ群と、前記プロバイダサーバ群と通信可能な端末と、を有する通信システムにおける前記プロバイダサーバ群であって、
前記端末からの登録要請に基づいて当該端末に固有の電話番号を割当て、当該端末と当該電話番号を紐付けて登録するデータベースサーバと、
呼制御サーバを介して、前記端末のうちの発信元となる端末である第１の端末から、前記端末のうちの発信先となる端末である第２の端末宛の通信確立要求を受けた場合に、前記第２の端末に割り当てられている前記電話番号を前記データベースサーバから読み込み、当該読み込んだ電話番号を前記呼制御サーバに送信する端末管理サーバと、
前記通信確立要求を受け付け、受け付けた通信確立要求を前記端末管理サーバに転送し、当該転送に応じて前記端末管理サーバから返信されてきた前記第２の端末に割り当てられている前記電話番号を用いて前記第１の端末と前記第２の端末間の通信を確立する前記呼制御サーバと、
を備え、
前記第１及び第２の端末が同一又は異なる通信方式に準拠した通信網を介して当該プロバイダサーバ群と通信を行うことを特徴とするプロバイダサーバ群。
【０１０７】
（付記２）  付記１に記載のプロバイダサーバ群において、
前記呼制御サーバはＳＩＰ（Session Initiation Protocol）に準拠したサーバであり、前記第１の端末からの前記通信確立要求はＳＩＰに準拠したＩＮＶＩＴＥであり、前記呼制御サーバは当該ＩＮＶＩＴＥに加えて前記第２の端末の電話番号を返信する旨の要求を付加して前記端末管理サーバに転送することを特徴とするプロバイダサーバ群。
【０１０８】
（付記３）  付記１又は２に記載のプロバイダサーバ群において、
前記端末管理サーバは、
或るグループ内に含まれる複数の端末に対して、電話番号の先頭から所定の桁までは共通の番号を割当て、当該電話番号の最後尾から所定の桁においては端末毎にそれぞれ異なる番号を割り当てることにより、前記或るグループの内線電話網を実現することを特徴とするプロバイダサーバ群。
【０１０９】
（付記４）  付記１又は２に記載のプロバイダサーバ群において、
前記データベースサーバでは、
或る利用者に対して１つの電話番号が割り当てられており、当該１つの電話番号に対して複数の端末を識別する識別番号が登録されていることを特徴とするプロバイダサーバ群。
【０１１０】
（付記５）  付記４に記載のプロバイダサーバ群において、
前記識別番号は、前記或る利用者に対して割り当てられている前記１つの電話番号の最後尾に、更に任意の文字又は数字を付加したものであることを特徴とするプロバイダサーバ群。
【０１１１】
（付記６）  ネットワーク上に設けられたプロバイダサーバ群と、前記プロバイダサーバ群と通信可能な端末と、を有する通信システムであって、
前記端末は前記プロバイダサーバ群を介して他の端末と通信を行い、
前記プロバイダサーバ群は付記１乃至５の何れか１に記載のプロバイダサーバ群であることを特徴とする通信システム。
【０１１２】
（付記７）  ネットワーク上に設けられたプロバイダサーバ群と、前記プロバイダサーバ群と通信可能な端末と、を有するシステムの前記プロバイダサーバ群が行う通信方法において、
データベースサーバが、前記端末からの登録要請に基づいて当該端末に固有の電話番号を割当て、当該端末と当該電話番号を紐付けて登録するステップと、
端末管理サーバが、呼制御サーバを介して、前記端末のうちの発信元となる端末である第１の端末から、前記端末のうちの発信先となる端末である第２の端末宛の通信確立要求を受けた場合に、前記第２の端末に割り当てられている前記電話番号を前記データベースサーバから読み込み、当該読み込んだ電話番号を前記呼制御サーバに送信するステップと、
前記呼制御サーバが、前記通信確立要求を受け付け、受け付けた通信確立要求を前記端末管理サーバに転送し、当該転送に応じて前記端末管理サーバから返信されてきた前記第２の端末に割り当てられている前記電話番号を用いて前記第１の端末と前記第２の端末間の通信を確立するステップと、
を備え、
前記第１及び第２の端末が同一又は異なる通信方式に準拠した通信網を介して当該プロバイダサーバ群と通信を行うことを特徴とする通信方法。
【０１１３】
（付記８）携帯データ通信網やＷｉＭＡＸデータ通信網、公衆無線ＬＡＮデータ通信網を含む、モバイル、固定データ通信網の提供を行うキャリア業者と、キャリア業者が提供するデータ通信網を介してＶｏＩＰによる音声通話、ビデオ通話、メッセージ、Ｅ−ｍａｉｌの送受信サービスを提供する電話プロバイダと、上記キャリア網を介してＩＰプロバイダに接続できる端末を備えＶｏＩＰによるモバイル・固定電話の番号統合サービスを行うことを特徴とする、
キャリアネットワークデータ通信とＩＰネットワークデータ通信を用いたモバイル、固定電話の番号統合サービスシステム。
【０１１４】
（付記９）  付記８に記載のシステムにおいて、
キャリア業者とは、利用者の端末がＩＰ電話プロバイダに接続できるようにデータ通信網のインフラ環境を提供し、ＩＰ電話プロバイダは、上記キャリア網を介し、利用者への音声通話、ビデオ通話、メッセージ、Ｅ−ｍａｉｌの送受信のサービスを提供し、  端末は、上記キャリア網を介し、上記ＩＰ電話プロバイダに接続してＶｏＩＰに音声通話、ビデオ通話、メッセージ、Ｅ−ｍａｉｌの送受信が利用できることを特徴とする、キャリアネットワークデータ通信とＩＰネットワークデータ通信を用いたモバイル、固定電話の番号統合サービスシステム。
【０１１５】
（付記１０）  付記８に記載のシステムにおいて、
内線電話番号は、最上位グループの規模により、電話番号の最後尾から桁を変更できることを特徴とする、キャリアネットワークデータ通信とＩＰネットワークデータ通信を用いたモバイル、固定電話の番号統合サービスシステム。
【０１１６】
（付記１１）  電話番号統合システムにおいて、
一つの番号で一つ以上の端末を同時に使用する場合
利用者の識別情報が記載されたデータベースと端末に付与される識別番号を用いて端末の呼制御を行うことを特徴とする、キャリアネットワークデータ通信とＩＰネットワークデータ通信を用いたモバイル、固定電話の番号統合サービスシステム。
【０１１７】
（付記１２）  付記１１に記載の識別番号は、
電話番号の後尾に付く特殊文字や数字で構成されることを特徴とする、キャリアネットワークデータ通信とＩＰネットワークデータ通信を用いたモバイル、固定電話の番号統合サービスシステム。
【符号の説明】
【０１１８】
１１０  構内ネットワーク
１１１  構内無線ＬＡＮアクセスポイント
１２１  ＷｉＭＡＸ用中継器
１３１  公衆無線ＬＡＮアクセスポイント
１４１  キャリア通信用中継器
１２０  ＷｉＭＡＸデータ通信ネットワーク
１３０  公衆無線ＬＡＮネットワーク
１４０  キャリアデータ通信網
２１０−１  ＩＰ電話プロバイダＡ
２１０−２  ＩＰ電話プロバイダＢ
２１０−３  ＩＰ電話プロバイダＣ
２００  インターネット
２１１−１、２１１−２  ＳＩＰサーバ
２１２−１、２１２−２  端末管理サーバ
２１３−１、２１３−２  端末管理データベース
３０１  端末
３０１−ｎ  発信元端末
３０１−ｍ  発信先端末
３０１−１  ＳＩＰ専用デュアルモード携帯端末（キャリアー／無線ＬＡＮ）
３０１−２  ＳＩＰ専用シングルモード携帯端末（無線ＬＡＮ）
３０１−３  ＰＣにインストールされた仮想ＳＩＰ端末
３０１−４  ＳＩＰ専用固定端末
３０１−５  ＷｉＭＡＸ専用ＳＩＰ端末
３０１−６  ＳＩＰ専用デュアルモード携帯端末（キャリアー／無線ＬＡＮ）
３０１−７  キャリア用ＳＩＰ専用デュアルモード携帯端末（キャリアー／無線ＬＡＮ）
４００  公衆電話網
７００  登録端末データベース
７０１  会社Ａ
７０２  会社Ｂ
７０３  部門Ａ
７０４  部門Ｂ
７０５  部門Ｃ
７０６  グループ１
７０７  グループ２
７０８  グループ３
７０９  グループ４
７１０  グループ１
７１１  グループ２
９００  利用者別登録データベース
９０１  名前
９０２  ＩＰ電話番号
９０３  使用端末
９０４  識別番号
【図１】
2012199882.tif 000003
【図２】
2012199882.tif 000004
【図３】
2012199882.tif 000005
【図４】
2012199882.tif 000006
【図５】
2012199882.tif 000007
【図６】
2012199882.tif 000008
【図７】
2012199882.tif 000009
【図８】
2012199882.tif 000010